(57)【要約】【課題】製造コストを低減し、収容ケースの取り付け或いは取り外し時の作業性を向上させることができるパチンコ遊技機を提供する。【解決手段】フィルタ基板ａ（第１基板）及び外部中継基板ｈ（第２基板）の両方を収容するためのもので、フィルタ基板ａを載置し得るとともに、所定寸法上方に突出した突起部２０が形成された底部材１８と、該底部材１８の上方を覆って収容空間を形成するとともに、突起部２０の突端と略同一高さに下縁２１ａを有した開口部２１が形成された蓋部材１９とから構成され、外部中継基板ｈの両端近傍を突起部２０の突端面２０ａ及び開口部２１の下縁２１ａの面にそれぞれ支持させることにより、収容空間内にフィルタ基板ａ及び外部中継基板ｈの両方を上下方向に亘って収容したものである。【選択図】　図４
2004081403.tif 000002
【特許請求の範囲】
【請求項１】
所定回路が形成された基板を収容すべく内部に収容空間が形成された収容ケースを備えたパチンコ遊技機において、
前記収容ケースは、その収容空間の所定高さで基板を支持するための支持部が形成されており、当該収容空間における上下方向に亘って複数の基板を収容し得ることを特徴とするパチンコ遊技機。
【請求項２】
前記収容ケースは、所定の回路が形成された第１基板及び他の回路が形成された第２基板の両方を収容するためのもので、
前記第１基板を載置し得るとともに、所定寸法上方に突出した突起部が形成された底部材と、
該底部材の上方を覆って収容空間を形成するとともに、前記突起部の突端と略同一高さに下縁を有した開口部が形成された蓋部材と、
から構成され、前記支持部は、前記突起部の突端面と、開口部の下縁面とから成り、前記第２基板の両端近傍を当該突起部の突端面及び開口部の下縁面にそれぞれ支持させることにより、前記収容ケース内に第１基板及び第２基板の両方を収容したことを特徴とする請求項１記載のパチンコ遊技機。
【請求項３】
前記突起部は、その突端から下方に向かうに伴い前記収容ケースに対して外側に傾斜した勾配部を有することを特徴とする請求項２記載のパチンコ遊技機。
【発明の詳細な説明】
【０００１】
【発明の属する技術分野】
本発明は、複数の基板を上下方向に一括して収容し得る収容ケースを有したパチンコ遊技機に関するものである。
【０００２】
【従来の技術】
パチンコ遊技機は、一般に、機枠に対して開閉可能に取り付けられた前面枠を有し、該前面枠に遊技盤が取り付けられて構成されている。また、遊技盤の裏面側には、樹脂等で形成された機構板が取り付けられ、該機構板に景品玉を貯留するための玉タンク等やその景品玉が通過するための導出樋等が形成されている。尚、前面枠等には、遊技に関して各種演出を行うべくランプやスピーカが配設されている。
【０００３】
また、パチンコ遊技機の背面側（即ち、遊技盤の裏面や機構板等）には、遊技内容を制御するための主基板、パチンコ遊技機に設置されたランプを制御するためのランプ制御基板、スピーカの出力を制御するための音声制御基板といった各種回路が形成された基板や、配線を中継する中継基板等が複数配設されており、これら基板は、それぞれ別個の収容ケースに収容されていた。
【０００４】
【発明が解決しようとする課題】
しかしながら、上記従来のパチンコ遊技機においては、機構板等の裏面側に設けられた一つの収容ケースには、所定の基板一つのみが収容されているため、配設される基板の数だけ収容ケースが必要となり、その分コストが嵩んでしまうという問題があった。また、基板毎に多数の収容ケースが配設されるため、遊技盤の交換時やメンテナンス時において、当該収容ケースをパチンコ遊技機から取り外したり或いは取り付ける際、作業性が悪化してしまうという問題もあった。
【０００５】
本発明は、このような事情に鑑みてなされたもので、製造コストを低減し、収容ケースの取り付け或いは取り外し時の作業性を向上させることができるパチンコ遊技機を提供することにある。
【０００６】
【課題を解決するための手段】
請求項１記載の発明は、所定回路が形成された基板を収容すべく内部に収容空間が形成された収容ケースを備えたパチンコ遊技機において、前記収容ケースは、その収容空間の所定高さで基板を支持するための支持部が形成されており、当該収容空間における上下方向に亘って複数の基板を収容し得ることを特徴とする。
【０００７】
請求項２記載の発明は、請求項１記載のパチンコ遊技機において、前記収容ケースは、所定の回路が形成された第１基板及び他の回路が形成された第２基板の両方を収容するためのもので、前記第１基板を載置し得るとともに、所定寸法上方に突出した突起部が形成された底部材と、該底部材の上方を覆って収容空間を形成するとともに、前記突起部の突端と略同一高さに下縁を有した開口部が形成された蓋部材とから構成され、前記支持部は、前記突起部の突端面と、開口部の下縁面とから成り、前記第２基板の両端近傍を当該突起部の突端面及び開口部の下縁面にそれぞれ支持させることにより、前記収容ケース内に第１基板及び第２基板の両方を収容したことを特徴とする。
【０００８】
請求項３記載の発明は、請求項２記載のパチンコ遊技機において、前記突起部は、その突端から下方に向かうに伴い前記収容ケースに対して外側に傾斜した勾配部を有することを特徴とする。
【０００９】
【発明の実施の形態】
以下、本発明の実施形態について図面を参照しながら具体的に説明する。
本実施形態に係るパチンコ遊技機は、図１及び図２で示すように、機枠１に対して開閉可能に取り付けられた前面枠２を有し、該前面枠２には開閉可能なガラス枠３が形成されている。かかるガラス枠３内には、遊技盤４が固定されており、その表面には種々の役物や複数の釘、或いは液晶表示部（いずれも不図示）等が形成されている。
【００１０】
液晶表示部は、図２における液晶用収容ケース５（遊技盤４の裏面側から固定）内に収容されつつ、その画面が遊技盤４の開口から前面側に臨んで配設され、遊技者に各種の液晶表示を行っている。また、液晶用収容ケース５内には、液晶表示部を制御する図柄制御基板（図３における符号ｇ）も収容されており、この図柄制御基板ｇにより当該液晶表示部で表示すべき図柄等を制御している。
【００１１】
更に、遊技における演出効果を高めるべく、前面枠２或いは遊技盤４の前面側には、不図示のランプ（例えば大当たりＬＥＤや遊技盤ランプ等）やスピーカ６が配設されている。即ち、遊技状態に応じて、ランプの点灯又は点滅やスピーカ６からの出力が行われ、各種の演出がなされるのである。このようなランプ及びスピーカ６の制御は、ランプ制御基板及び音声出力基板（図３における符号ｅ及びｆ）により行われる。
【００１２】
これらランプ制御基板ｅ及び音声出力基板ｆは、図３に示すように、基板ユニット１７として電気的及び物理的に連結されており、かかる基板ユニット１７と主基板ｄとは一体のユニット７内に収容されている。この主基板は、パチンコ遊技機全般に亘る遊技内容を制御するもので、ＣＰＵ、乱数ＲＯＭ及びプログラムＲＯＭといった構成要素を備えたものである。
【００１３】
また、パチンコ遊技機における背面側の所定位置には、フィルタ基板用ケース１４、払出制御基板用ケース１２及び電源基板用ケース１６が配設されており（図２参照）、これらケース毎に、フィルタ基板ａ、払出制御基板ｂ及び電源基板ｃが収容されている。フィルタ基板ａは、パチンコ遊技場の電源設備から供給された２４ボルト交流電源を各パチンコ遊技機に最初に取り入れる基板であり、図３で示すように、ＡＣ２４Ｖ電源ケーブル１５によってパチンコ遊技場の電源設備と接続されている。
【００１４】
より具体的には、上記フィルタ基板ａは、図４で示すように、コネクタＣＮ１及びＣＮ２、電源スイッチＳＷ、ヒューズＹＵ、サージアブソーバＺ１、バリスタＺ２及びＺ３、コンデンサＣ１〜Ｃ３、コイルＬ等から成る電気回路を有するものであり、入力側であるコネクタＣＮ１にパチンコ遊技場の電源設備からのＡＣ２４Ｖ及びフレームＧＮＤを接続すると、当該電源設備からの電源が上記各電気的構成要素を介してコネクタＣＮ２から出力されるよう構成されている。尚、コイルＬは、コモンモードコイルから成るものである。
【００１５】
即ち、コンデンサＣ１〜Ｃ３及びコイルＬはフィルタ回路を構成しており、これらをＡＣ２４Ｖが通過する際、コモンモードノイズが除去されるとともに、サージアブソーバＺ１及びバリスタＺ２、Ｚ３は過電圧保護素子として機能するフィルタ回路を構成しており、ＡＣ２４Ｖに高電圧なサージが含まれていたとき、そのサージ電圧を抑制し得るようになっている。
【００１６】
更に、例えば誤ってフィルタ基板ａにＡＣ１００Ｖ等が供給されて過電流が流れた場合、フィルタ基板ａに設けられたヒューズＹＵが溶断して当該ＡＣ１００Ｖを遮断し得るよう構成されている。また、同様に、電源基板ｃの異常に伴って過電流が流れた場合にもヒューズＹＵが溶断して、当該過電流を遮断し得るよう構成されている。
【００１７】
一方、電源基板ｃは、フィルタ基板ａでノイズ除去されたＡＣ２４Ｖを各基板のための直流電源に変換するためのものであり、電圧変換を行うトランス等を備えている。より具体的には、フィルタ基板ａを介して供給されたＡＣ２４Ｖから直流ＤＣ５Ｖ、ＤＣ１２Ｖ、ＤＣ２４Ｖ及びＤＣ３２Ｖ等を作り出している（図３におけるＤＣ電源系矢線参照）。
【００１８】
払出制御基板ｂは、貸球及び賞球を払い出す球払出装置１１を制御するためのものであり、フィルタ基板ａからのＡＣ２４Ｖを中継して電源基板ｃに送り得るよう構成されている。尚、図３で示すように、払出制御基板Ｂで中継するＡＣ２４Ｖは、電源基板ｃの他、カードユニット等にも供給されるよう構成されている（同図におけるＡＣ電源系矢線参照）。
【００１９】
ここで、フィルタ基板ａを収容するフィルタ基板用ケース１４は、図４に示すように、フィルタ基板ａ（第１基板）を載置し得るとともに、所定寸法上方に突出した突起部２０が形成された底部材１８と、該底部材１８の上方を覆って収容空間を形成するとともに、突起部２０の突端面２０ａと略同一高さに下縁２１ａを有した開口部２１が形成された蓋部材１９とから構成されている。
【００２０】
底部材１８を平面から見た対角には、ネジ孔１８ａが形成されているとともに、これらネジ孔１８ａに対応するフィルタ基板ａの対角にもネジ孔ａ１が形成されおり、ネジＮにて底部材１８上にフィルタ基板ａを固定している。また、底部材１８を平面から見た一方の長辺における略中央には突起部２０が形成されており、該突起部２０の突端面２０ａは略平坦に形成されている。
【００２１】
かかる突起部２０は、図６に示すように、その突端から下方に向かうに伴い収容ケース１４（底部材１８或いは蓋部材１９）に対して外側（同図においては右側）に傾斜した勾配部２０ｂを有している。即ち、底部材１８に蓋部材１９が組み付けられた状態において、勾配部２０ｂが成す面と蓋部材１９の内壁面とが離間するようになっているのである。これにより、蓋部材１９にて底部材１８を覆う際に、当該蓋部材１９と突起部２０とが干渉するのを回避でき、これら両部材の組み付け作業時の作業性を更に向上させることができる。
【００２２】
一方、底部材１８に蓋部材１９が組み付けられた状態において、突起部２０の突端面２０ａと略同一高さに開口部２１の下縁２１ａが位置しており、これら突端面２０ａと下縁２１ａの面に亘って外部中継基板ｈ（第２基板）が配設されている。尚、上記外部中継基板ｈには、例えば払出制御基板ｂ等と電気的に接続可能な２つの入力コネクタＣＮ３、及び機枠１上等に形成された所定ランプ（例えば前面枠が開状態となったこと、或いは賞球や球貸し状態をホールに知らせるランプ等）と電気的に接続可能な３つの出力コネクタＣＮ４が配設されており、これら入力コネクタＣＮ３と出力コネクタＣＮ４を電気的に結ぶ回路が形成されている。
【００２３】
より具体的には、外部中継基板ｈの両端近傍がそれぞれ突端面２０ａ及び下縁２１ａの面とで支持されることにより、収容空間内において当該外部中継基板ｈがフィルタ基板ａの上方で収容されるようになっている。ここで、突起部２０の突端面２０ａ及び開口部２１の下縁２１ａの面は、収容空間の所定高さで基板を支持するための支持部を構成している。
【００２４】
即ち、フィルタ基板用ケース１４内の収容空間には、フィルタ基板ａ及び外部中継基板ｈの両方が上下に収容されているのである。このように、１つのフィルタ基板用ケース１４の収容空間において上下方向に２つの基板を収容することができるので、各々の基板を別個の収容ケースにて収容するものに比べ、パチンコ遊技機に配設されるべき収容ケースの数を減少させることができる。
【００２５】
従って、上述したように、収容ケースの配設数を減少させることができるので、パチンコ遊技機の部品点数を削減することができ、製造コストを低減することができる。更に、収容ケースの配設数が減少するので、パチンコ遊技機のメンテナンス時や遊技盤４の交換時における当該収容ケースの取り付け或いは取り外し作業の作業性を向上させることができる。
【００２６】
尚、図５の如くフィルタ基板用ケース１４が組み付けられた状態において、開口部２１を介して外部中継基板ｈの入力コネクタＣＮ３が外部に臨むよう構成されており、コネクタの接続を可能としている。更に、蓋部材１９の所定位置には、コネクタ用開口部１９ａ、１９ｂ及び１９ｃが形成されており、これらコネクタ用開口部１９ａ〜１９ｃを介して外部中継基板ｈの出力コネクタＣＮ４やフィルタ基板ａのコネクタＣＮ１及びＣＮ２が外部に臨むよう構成されている。
【００２７】
上記フィルタ基板用ケース１４を組み付けるには、まず底部材１８上にフィルタ基板ａをネジＮにて固定しておくとともに、突起部２０の突端面２０ａに外部中継基板ｈの一端近傍を当接させておき、その状態のまま底部材１８の上方を蓋部材１９で覆う。このとき、蓋部材１９における開口部２１の下縁２１ａに外部中継基板ｈの他端近傍を当接させるようにし、当該中継基板ｈを支持させつつ、蓋部材１９の底面における外周縁を底部材１８の外周縁に嵌合させる。
【００２８】
その後、図示しないボルト等にて底部材１８に蓋部材１９を固定させてフィルタ基板用ケース１４とし、パチンコ遊技機における機構板８の所定位置に取り付ける。尚、上記の他、予め蓋部材１９における開口部２１の下縁２１ａに外部中継基板ｈの他端近傍を当接させておき、当該蓋部材１９で底部材１８上方を覆う際に外部中継基板ｈの一端近傍を突起部２０の突端面２０ａに当接させることにより支持してもよい。
【００２９】
ところで、機構板８には、図２に示すように、景品玉を貯留するための玉タンク９、その景品玉が通過するための導出樋１０或いは球払出装置１１等が配設されるとともに、払出制御基板ｂを収容した払出制御基板用ケース１２、及び発射制御基板（不図示）を具備した発射装置ユニット１３等が配設されている。また、ユニット７と機構板８との間には、電源基板ｃを収容した電源基板用ケース１６が介装されている。
【００３０】
ユニット７は、ランプ制御基板ｅと音声制御基板ｆとが連結された基板ユニット１７を収容した収容ケース上に主基板ｄを収容した収容ケースを積層させて一体化させたものから成り、電源基板用ケース１６上（図２における手前側）に固定されることによりパチンコ遊技機の機構板８に取り付けられる。このように、主基板ｄ、ランプ制御基板ｅ及び音声制御基板ｆを単一のユニット７内に収容することにより、パチンコ遊技機の機種を入れ替えるに際し、遊技盤４を交換するとき、必ず交換が必要な主基板、ランプ制御基板及び音声制御基板を一括して取り外し及び取り付け作業することができ、作業性を向上させることができる。
【００３１】
以上、本実施形態について説明したが、本発明はこれに限定されるものではなく、例えばフィルタ基板用ケース１４を構成する底部材１８の両側から１対の突起部２０を突出形成させ、それら突端面で外部中継基板ｈの両端近傍を支持するよう構成してもよい。即ち、フィルタ基板用ケース１４における収容空間の所定高さで外部中継基板ｈを支持する支持部が形成されていれば足り、本実施形態の如く、必ずしも突端面２０ａと下縁２１ａの面とで支持させる必要はないのである。
【００３２】
但し、本実施形態の如く、突端面２０ａ及び開口部２１の下縁２１ａの面で外部中継基板ｈ（第２基板）を支持すれば、底部材１８と蓋部材１９の両部材で外部中継基板ｈを支持することとなり、両部材の組み付け性の確認を容易に行うことができる。即ち、底部材１８と蓋部材１９とが正確に組み付けられていなければ、突端面２０ａと下縁２１ａの面との位置が相対的にずれてしまい、外部中継基板ｈを支持することができないため、当該外部中継基板ｈの支持を正確に行った状態では両部材の組み付けが正確に行われたことを確認することができる。
【００３３】
また、本実施形態においては、フィルタ基板用ケース１４内にフィルタ基板ａと外部中継基板ｈとの両方を上下方向に収容させるものであるが、これに限定されるものではなく、例えば払出制御基板用ケース１２や電源基板用ケース１６等他の基板を収容する収容ケース内において上下方向に亘って複数の基板を収容させるようにしてもよい。即ち、同一の収容ケースに異なる複数の基板を上下方向に亘って収容するものであれば、３つ以上の種々基板を収容するものであってもよい。
【００３４】
更に、パチンコ遊技機の背面側に配設されるべき収容ケースは、本実施形態のものに限定されず、例えばユニット７に代えて、主基板ｄ、ランプ制御基板ｅ及び音声制御基板ｆをそれぞれ別個に収容する複数の収容ケース（従来の一般的な収容ケース）としてもよく、それらの配設は、互いに積層状態としても、背面から見て平面状に並べるようにしてもよい。
【００３５】
【発明の効果】
請求項１の発明によれば、収容ケースの収容空間内における上下方向に複数の基板を収容させるので、収容ケースの配設数を減少させることができ、部品点数を削減することによって製造コストを低減することができる。加えて、収容ケースの配設数が減少するので、当該収容ケースの取り付け或いは取り外し時の作業性を向上させることができる。
【００３６】
請求項２の発明によれば、底部材から突起部を突出させるとともに、蓋部材に開口部を設けることにより、それら突端面及び開口部下縁面で第２基板を支持するので、当該底部材と蓋部材の両部材で第２基板を支持することとなり、両部材の組み付け性の確認を容易に行うことができる。即ち、底部材と蓋部材とが正確に組み付けられていなければ、突端面と下縁面との位置が相対的にずれてしまい、第２基板を支持することができないため、当該第２基板の支持を正確に行った状態では両部材の組み付けが正確に行われたことを確認することができる。
【００３７】
請求項３の発明によれば、突起部が突端から下方に向かうに伴い収容ケースに対して外側に傾斜した勾配部を有するため、蓋部材にて底部材を覆う際に当該蓋部材と突起部とが干渉するのを回避でき、これら両部材の組み付け作業時の作業性を更に向上させることができる。
【図面の簡単な説明】
【図１】本発明の実施形態に係るパチンコ遊技機を正面側から見た斜視図
【図２】本発明の実施形態に係るパチンコ遊技機を背面から見た模式図
【図３】本発明の実施形態に係るパチンコ遊技機における電源系統図
【図４】本発明の実施形態に係るパチンコ遊技機におけるフィルタ基板用ケースを示す分解斜視図
【図５】本発明の実施形態に係るパチンコ遊技機におけるフィルタ基板用ケースを示す組み付け後の斜視図
【図６】図５におけるＶＩ−ＶＩ線断面図
【符号の説明】
１…機枠
２…前面枠
３…ガラス枠
４…遊技盤
５…液晶用収容ケース
６…スピーカ
７…ユニット
８…機構板
９…玉タンク
１０…導出樋
１１…球払出装置
１２…払出制御基板用ケース
１３…発射装置ユニット
１４…フィルタ基板用ケース
１５…ＡＣ２４Ｖ電源ケーブル
１６…電源基板用ケース
１７…基板ユニット
１８…底部材
１９…蓋部材
２０…突起部
２０ａ…突端面
２１…開口部
２２…下縁
ａ…フィルタ基板（第１基板）
ｂ…払出制御基板
ｃ…電源基板
ｄ…主基板
ｅ…ランプ制御基板
ｆ…音声制御基板
ｇ…図柄制御基板
ｈ…外部中継基板（第２基板）
【図１】
2004081403.tif 000003
【図２】
2004081403.tif 000004
【図３】
2004081403.tif 000005
【図４】
2004081403.tif 000006
【図５】
2004081403.tif 000007
【図６】
2004081403.tif 000008